(57)【要約】【課題】１つのルアーで使用者の要望に応じて錘の位置の異なるルアーにカスタマイズできること。【解決手段】釣り用餌に偽装し、内部に錘20を有する本体部11に、釣り針13と、釣り糸を結束するライン結束部15とを設けたルアー10である。ルアー10の本体部11の複数個所に錘収納部14を設け、これらの錘収納部14から選択した１又は複数個所に錘20を収納することによりルアー10の重心位置を変更できる。錘収納部14は略同一形態の錘20の１つ又は複数を収納できる収納室とこの収納室の開口部を閉鎖する蓋部16とからなる。錘収納部14には、発光体、ビーズ、ホログラム又はカラーチューブ等の集魚体22も収納できる。ライン結束部15を本体部11の複数個所に設け、これら複数のライン結束部15の何れか１つを選択して釣り糸を結束できる。【選択図】図１
2014121285.tif 000002
【特許請求の範囲】
【請求項１】
釣り用餌に偽装し、内部の適宜位置に錘を有する本体部に、釣り針と、釣り糸を結束するライン結束部とが設けられたルアーにおいて、
本体部の適宜位置の複数個所に錘収納部を設け、これらの錘収納部から選択した１又は複数個所に錘を収納することにより、ルアーの重心位置を変更できることを特徴とする機能変更可能ルアー。
【請求項２】
錘収納部が略同一形態の錘の１つ又は複数を収納することができる収納室とこの収納室の開口部を閉鎖する蓋部とからなることを特徴とする請求項１に記載の機能変更可能ルアー。
【請求項３】
前記錘収納部に、発光体、ビーズ、ホログラム又はカラーチューブ等の集魚体を収納できることを特徴とする請求項１又は２に記載の機能変更可能ルアー。
【請求項４】
前記ライン結束部を本体部の複数個所に設け、これら複数のライン結束部の何れか１つを選択して釣り糸を結束できることを特徴とする請求項１乃至３の何れか１項に記載の機能変更可能ルアー。
【発明の詳細な説明】
【技術分野】
【０００１】
本発明は、釣り用の疑似餌（ルアー）に関し、とりわけ使用者の要望に応じてその機能を変更することができる、即ちカスタマイズ可能なルアーに関するものである。
【背景技術】
【０００２】
従来の釣り用ルアーとしては各種のものがあるが、そのハードルアーとして基本的なものは、プラスチック、ウッド或いは金属等の素材からなり、１本又は複数本の針が付加され、釣り糸（ライン）を結束するラインアイ（結束環）が設けられており、その動きや色、匂い等々により直接魚を誘う偽装が施されたものである。
【０００３】
このような従来のルアーとしては、下記特許文献に記載のものを挙げることができる。
下記特許文献１に記載のルアーは、変化に富んだ遊泳動作を与え、対象魚の興味を誘い、釣果の向上を図るとともに、簡単な構成で低コスト化を図ることを目的とする。
その構成は、ルアー本体の内部に移動可能な錘を収容したルアーであって、ルアー本体の内部に、錘を前後左右方向に移動自在に収容する錘移動空間を備えたものである。これにより、錘移動空間内における錘の移動で、ルアー本体の重心が錘の移動とともに移動し、この重心移動により、ルアー本体の遊泳運動に不規則で複雑な動きを与えることができるようにしたものである。
【０００４】
下記特許文献２に記載のルアーは、飛距離が大きく、着水時から適正な水中姿勢及びアクションが達成されるルアーを提供することを目的とする。
その構成としては、中空であって前部のヘッド及び後部のテールを有するボディと、ボディの内部に前後方向に延設された筒状のケーシングと、このケーシング内に、前後方向に移動可能に収容された重錘と、上記ケーシング内の重錘の後方に配置された、重錘を前方に付勢する圧縮コイルばねとを備えたものからなる。
キャスト時には、上記重錘が圧縮コイルばねの付勢力に抗して後方に移動しうるように構成されているものである。
【先行技術文献】
【特許文献】
【０００５】
【特許文献１】特開２０１２−４４９６３号公報
【特許文献２】特開２０１１−２２９４２３号公報
【発明の概要】
【発明が解決しようとする課題】
【０００６】
上記従来のルアーにおいては、本体部の内部に錘が配設され、且つこの錘が本体部内部で移動できる構成で、この移動する錘によって、上記特許文献１に記載の発明ではルアー本体の遊泳運動に不規則で複雑な動きを提供することができ、或いはまた、上記特許文献２に記載の発明ではキャスティング後着水時に重心がヘッド側に位置して適正な水中姿勢及びアクションを得ることができるようにしたものであり、キャスティングの際には姿勢を保持してラインが絡まないようにするためのものである。
【０００７】
本発明においては、上記従来のような錘を本体部内部で移動できるようにするのではなく、錘自体の配設位置は固定としつつ、尚且つ、使用者の要望に合わせて、当該錘の位置を異なる位置に変更して重心の異なるものを１つのルアーで実現することをその課題としている。
【０００８】
即ち、通常一般的には、使用目的に応じて異なる重心位置を有するルアーを選択して、異なるルアーを使用するのであるが、本発明においては、１つのルアーで使用者の要望に合致させて錘の位置の異なるルアーにカスタマイズできるルアーの提供をその課題とするものである。
【課題を解決するための手段】
【０００９】
上記課題を解決するために、本発明の第１のものは、釣り用餌に偽装し、内部の適宜位置に錘を有する本体部に、釣り針と、釣り糸を結束するライン結束部とが設けられたルアーにおいて、本体部の適宜位置の複数個所に錘収納部を設け、これらの錘収納部から選択した１又は複数個所に錘を収納することにより、ルアーの重心位置を変更できることを特徴とする機能変更可能ルアーである。
【００１０】
本発明の第２のものは、上記第１の発明において、錘収納部が略同一形態の錘の１つ又は複数を収納することができる収納室とこの収納室の開口部を閉鎖する蓋部とからなることを特徴とする機能変更可能ルアーである。
【００１１】
本発明の第３のものは、上記第１又は第２の発明において、前記錘収納部に、発光体、ビーズ、ホログラム又はカラーチューブ等の集魚体を収納できることを特徴とする機能変更可能ルアーである。
【００１２】
本発明の第４のものは、上記何れかの発明において、前記ライン結束部を本体部の複数個所に設け、これら複数のライン結束部の何れか１つを選択して釣り糸を結束できることを特徴とする機能変更可能ルアーである。
【発明の効果】
【００１３】
本発明の第１のものにおいては、釣り用餌に偽装し、内部の適宜位置に錘を有する本体部に、釣り針と釣り糸を結束するライン結束部とを設けたルアーであって、本体部の適宜位置の複数個所に錘収納部を設け、これらの錘収納部から選択した１又は複数個所に錘を収納することにより、ルアーの重心位置を変更できるようにしたものである。
これにより、ルアー使用者は、ルアーの重心を頭部側に、或いは頭部と尾側の両方に、更にはこれらの中間部に重心が来るように設定することができ、必要に応じて１つのルアーで重心位置を変更して使用することができることとなる。
【００１４】
本発明の第２のものにおいては、前記錘収納部の態様をより具体化したものであり、即ち、この錘収納部が略同一形態の錘の１つ又は複数を収納することができる収納室とこの収納室の開口部を閉鎖する蓋部とから形成したものである。
これにより、使用者は、略同一形態の例えば球形の錘の複数を用いて、所望の位置の錘収納部である収納室内に錘を収納し、その後蓋部によってその開口部を閉鎖して簡単に錘を収納することができることとなる。
【００１５】
本発明の第３のものにおいては、前記錘収納部の内部に、発光体、ビーズ、ホログラム又はカラーチューブ等の集魚体を収納できることを特徴とするものであり、これにより錘を収納していない錘収納部内にこの集魚体を収納し、より釣果を向上させることができることとなる。
【００１６】
本発明の第４のものにおいては、ライン結束部を本体部の複数個所に設け、これら複数のライン結束部の何れか１つを選択して釣り糸を結束できることを特徴とするものである。
これにより、やはり使用者の要求に合致させて、釣り糸の結束位置を選択して変更し、ルアーの動きを使用者の要望に合わせてカスタマイズすることができることとなるのである。
【図面の簡単な説明】
【００１７】
【図１】本発明のルアーに係る一実施形態を図示する分解説明図である。
【図２】上記実施形態に係るルアーにおいて複数の錘を使用して各種異なるウエイトバランスの設定を行うことを示す説明図である。
【図３】上記実施形態に係るルアーの錘収納部内に各種の集魚体を収納した状態を示す説明図である。
【図４】上記実施形態に係るルアーにおいて、異なる位置に釣り糸を結束する状態を図示した説明図である。
【発明を実施するための形態】
【００１８】
以下、添付の図面と共に本発明の実施形態について説明する。
図１は、本発明のルアーに係る一実施形態を図示する分解説明図である。
本発明に係るルアー１０は、一般的にはハードベイトとも呼ばれる硬質プラスチック製の魚の姿を模したものからなる。
【００１９】
ルアー１０の本体部１１の前方側（図中左側）の魚の口に当たる部分にリップ１２が設けられ、このリップ１２はプラスチック製の舌状部材からなり、このルアー１０を引けばこれが水流を受けてルアー１０の本体部１１が左右に振動しながら潜水することとなる。
この種のルアー１０は、一般的にはミノーと呼ばれるものである。
【００２０】
この実施形態においては、本体部１１の中央下側と、尾びれ部分に針１３、１３が取り付けられている。
また、釣り糸は、ライン結束部１５の端部の環状部に結束されることとなる。
この実施形態では、本体部１１の口部側と上方の背側の２箇所にこのライン結束部１５を設けている。
【００２１】
更に、この実施形態においては、本体部の下方の腹側に、３つの錘収納部１４を設けている。
これらの錘収納部１４は、略球体形状の金属製の錘２０の１個又は複数個を収納できる大きさをそれぞれ有する収納室から形成されている。
また、これらの錘収納部１４内には、錘２０の他に、発光体等の集魚体２２を収納することができる。発光体２２については後に説明する。
【００２２】
上記収納室からなる錘収納部１４内に錘２０又は集魚体２２を収納し、或いは空の状態としてその後この収納室の開口部を閉鎖すべく蓋部１６を嵌合して固定することができる。
以上の構成からなるルアー１０は、使用者の要望に応じて、錘２０の幾つかを用いて所望の錘収納部１４内に収納し、及び、所望の集魚体２２を収納し、蓋部１６により錘収納部１４のそれぞれの開口部を閉鎖して、使用者の要求に合わせた、即ち使用者によってカスタマイズされたルアー１０が完成する。
その後、２箇所に設けられたライン結束部１５の何れかに釣り糸を結束して本発明に係るルアー１０を使用するのである。
【００２３】
ここで、錘収納部１４及び蓋部１６について更に説明をする。
上記実施形態において、錘収納部１４は、本体部１１の腹側に３箇所設けている。
その図中左側の口部側に設けた錘収納部１４においては、球状の錘２０が前後方向に２個収納できる大きさの収納室から形成されている。
同様に、この錘収納部１４の開口部を閉鎖する蓋部１６も、上記２個の球状の錘２０を適切に受容しつつ錘収納部１４の開口部を閉鎖できるような形態を有するものである。
【００２４】
本体部１１の腹側中央部に設けた錘収納部１４は、１個の球状錘２０を収納できる収納室から形成されている。
同様に、この錘収納部１４の開口部を閉鎖する蓋部１６の方も、１つの球状錘２０を適切に受容しつつ閉鎖できる形態を有するものから形成され、良好にその開口部を閉鎖することができる。
【００２５】
本体部１１の図中右側の尾びれ側に設けた錘収納部１４においては、その中央部に１個の球状錘２０を受容できるような形態とし、これに対応するように蓋部１６の側も、その中央部に１個の球状錘２０を受容できる形態として錘収納部１４の開口部を閉鎖することができるものである。
この錘収納部１４においては、発光体等の集魚体２２をも収納できるように構成しており、その収納室の内部形態が他の錘収納部１４のそれとは少し異なる形態としている。
【００２６】
このように、収納室から成る錘収納部１４の内部形状は、自由に設計することができ、錘の形状や数及び集魚体の形態に応じて種々設計変更することができるものである。
要するに、この錘収納部１４は、本体部１１の腹側に錘２０や集魚体２２を収納できる形態を有する収納室を設け、この収納室の開口部を閉鎖する蓋部との組み合わせからなるものであれば、どのような形態のものであってもよいのである。
【００２７】
図２は、上記実施形態に係るルアーにおいて複数の錘を使用して各種異なるウエイトバランスの設定を行うことを示す説明図である。
図２（イ）においては、合計３個の錘２０を使用し、本体部１１の口部側の錘収納部１４ａ内に２個の錘２０を、中央の錘収納部１４ｂに１個の錘２０を収納した状態とし、重心位置は前方にやや重いルアーとして、水面下少し潜行した状態で左右に振動した状態で揺動動作をするものとなる。
【００２８】
図２（ロ）においては、１個の錘２０のみを使用して、この錘２０を口部側の錘収納部１４ａ内の前方側に収納したものであり、ウエイトは上記図２（イ）のものよりは軽く、重心はより前方に位置し、ほぼ水面上を左右に振動しつつ揺動動作するものとなる。
【００２９】
図２（ハ）においては、上記（ロ）と同様に錘収納部１４ａ内に錘２０を収納したものであるが、上記のように１個のみでなく、その２個を収納したものであり、ウエイトがより重くなり、（ロ）のものよりも少し潜行した状態で揺動動作することとなる。
【００３０】
図２（ニ）においては、口部側の錘収納部１４ａと中央の錘収納部１４ｂ内に１個ずつ錘２０を収納したものであり、上記（ハ）のものよりもその重心が後方に位置することとなる。
【００３１】
図２（ホ）においては、中央の錘収納部１４ｂ内に錘を１個のみ収納したものであり、その重心はより後方となり、重さも軽く、水面上をより大きな揺動動作で上下動するものとなる。
【００３２】
図２（ヘ）においては、前方と後方の錘収納部１４ａと１４ｃ内にそれぞれ１個ずつ錘２０を収納したものであり、その重心は上記（ホ）のものとほぼ同じであるが、ウエイトが大きくなり、より水面下を潜行した状態で揺動動作するものとなる。
【００３３】
尚、上記の動作説明は、釣り糸を本体部１１の口部側に設けたライン結束部１５に結束したものとして説明したが、この釣り糸を本体部１１の背側略中央の位置１５ｓに結束した場合には、また異なる動作を行うことができるのである。
このように、使用者の要求に応じて錘２０の１個又は複数個を異なる錘収納部１４内に収納することにより、ルアーの動きを異なるものとすることができるのである。
即ち、本発明に係るルアーにおいては、使用者の要望に合わせてカスタマイズすることができることとなるのである。
【００３４】
図３は、上記実施形態に係るルアーの錘収納部内に各種の集魚体を収納した状態を示す説明図である。
図３（イ）に示したものにおいては、尾びれ側の後方の錘収納部１４ｃ内に発光体２２ａからなる集魚体を収納したものである。
この発光体２２ａの形態は、収納室の内部形態と略同一としている。
この発光体１２ａとしては、ＬＥＤを利用したもの或いは化学的に反応して発光するものであってもよく、光を発するものであればよい。
【００３５】
図３（ロ）に示したものは、中央の錘収納部１４ｂと後方の錘収納部１４ｃ内に錘と略同一球体からなるビーズ２２ｂをそれぞれ収納したものである。
このビーズが光を受けて反射し、魚を呼び寄せるものである。
【００３６】
図３（ハ）に示したものは、後方の錘収納部１４ｃ内にホログラム・シートから形成したチューブ２２ｈを収納したものである。
このタイプも外部から光を受けて反射することにより魚を呼び寄せるタイプのものである。
【００３７】
図３（ニ）においても後方の錘収納部１４ｃ内にカラーチューブ２２ｔを収納したものであり、ルアーの本体部１１に目に付く色彩をあしらった疑似餌となるのである。
このように、上記錘収納部１４内には、各種の集魚体を収納して、釣果を向上させる効果を発揮させることができるものである。
尚、上記のように錘収納部内には集魚体を収納する関係上、錘収納部の外壁の一部又は全部を透明素材から形成しておくことが必要である。
【００３８】
また、上記ルアーにおいて、錘の配置や数も自由に変更して錘収納部に収納することによって、ルアーの動きを適宜変更させることができる。
このように、本発明にあっては、ルアーの動作と共に、ルアー本体部の色相や輝きを変更させることができ、この点でも使用者の要望に合わせて適宜カスタマイズすることができるのである。
【００３９】
図４は、上記実施形態に係るルアーにおいて、異なる位置に釣り糸を結束する状態を図示した説明図である。
図４（イ）においては、ルアーの本体部１１の口部側（図中左側）のライン結束部１５ａに釣り糸Ｌを結束した状態を示しており、他方、錘２０はその２個を前方の錘収納部１４ａ内に収納することにより、このルアーは、左右に振動しつつ、小さく上下に揺動することとなる。
【００４０】
図４（ロ）においては、ルアーの本体部１１の背側略中央部のライン結束部１５ｂに釣り糸Ｌを結束した状態であり、２個の錘２０は上記の（イ）図の配置と同一であり、このルアーは左右に振動しつつ、上下により大きく揺動する動作を行うこととなるのである。
このように、釣り糸の結束位置を異ならせることによっても、本発明に係るルアーは異なる動作を行わせることができることとなる。即ち、使用者の要望に合わせてカスタマイズすることができるのである。
【００４１】
以上、本発明の実施形態について説明したが、本発明においては以下の通り各種その形態を変更することができる。
先ずルアーの本体部は、上記実施形態では魚の形態を模したものであるが、魚以外の他の釣り餌の形態を模したものであってもよいが、本体部の腹側内部に錘収納部を形成できる大きさのものが必要である。
【００４２】
本体部の外表面には、各種の色彩を施し、上記した通り、錘収納部の外壁部はその一部又は全部を透明素材から形成しておくことが必要である。この錘収納部内には各種の集魚体も収納するからである。
更に本体部の外表面には魚が好む匂いを付加したものであってもよい。
蓋部も収納室の開口部に嵌合、固定できる形状に形成すればよく、透明素材で形成するのも自由である。
【００４３】
蓋部の内面（収納室側）に、錘の一部を受容できるような形態に、即ち、錘の一部に適合するような凹所を形成しておくことも自由である。
錘又は集魚体を収納する収納室からなる錘収納部の内部形状やサイズも適宜自由に設計することができ、例えば、この収納室の背側内面部分に錘の一部に適当する凹所を形成してもよい。
【００４４】
集魚体の形状や大きさも自由に設計することができるが、錘と略同一形態とすれば、この錘の代わりにこの集魚体を収納することができる。
或いは、錘収納部である収納室の内部形状に合致するような形状の集魚体とすることもできる。
釣り針を取り付ける位置及び数も自由に設定することができる。
釣り糸を結束するライン結束部の数及び位置も自由に設定することができ、その数を３つ以上とすることもできる。
【００４５】
以上、本発明は、１又は複数の錘収納部を設け、この錘収納部に錘及び／又は集魚体を収納することができ、釣り糸に関しても所望部位に結束することができ、これにより１つのルアーで使用者の要望に合わせて適宜カスタマイズすることができる機能変更可能ルアーを提供することができたものである。
【符号の説明】
【００４６】
１０  ルアー
１１  本体部
１２  リップ
１３  針
１４  錘収納部
１５  ライン結束部
１６  蓋部
２０  錘
２２  集魚体
Ｌ  釣り糸
【図１】
2014121285.tif 000003
【図２】
2014121285.tif 000004
【図３】
2014121285.tif 000005
【図４】
2014121285.tif 000006